(57)【特許請求の範囲】
【請求項１】
放送チャンネルのチャンネル情報を含む放送波をスキャンするスキャン処理手段と、
前記スキャン処理によって得られた前記チャンネル情報を含む設定情報を記憶するメモリと、
前記メモリに記憶された前記設定情報を外部のサーバにネットワークを介して送信する送信手段と、
前記設定情報に含まれる前記チャンネル情報に基づいて前記サーバにて特定された番組情報を受信する受信手段と、
前記番組情報に基づいて第１の番組表を表示するよう制御する表示制御手段と、
前記放送チャンネルのチャンネル番号を任意に設定することをユーザに許可するチャンネル番号設定手段と、
前記設定情報及び前記チャンネル番号設定手段にて設定されたチャンネル番号に基づいて第２の番組表を生成する番組表生成手段とを備え、
前記送信手段は、
前記チャンネル番号設定手段にて設定されたチャンネル番号を示す情報を前記サーバに送信し、
前記表示制御手段は、
前記第２の番組表の前記チャンネル番号と放送チャンネルの対応関係と同じ対応関係のチャンネル番号を含む前記第１の番組表を表示するよう制御する電子機器。
【請求項２】
前記第２の番組表のチャンネル順を任意に設定することをユーザに許可するチャンネル順設定手段を備え、
前記送信手段は、前記チャンネル順設定手段にて設定された前記第２の番組表のチャンネル順を示す情報を前記サーバに送信し、
前記表示制御手段は、前記第２の番組表のチャンネル順と同じチャンネル順を含む前記第１の番組表を表示するよう制御する請求項１に記載の電子機器。
【請求項３】
前記放送チャンネルを選局する選局手段を備え、
前記送信手段は、前記選局手段にて選局している放送チャンネルを示す情報を前記サーバに送信し、
前記表示制御手段は、前記選局手段にて選局している放送チャンネルに対応する放送チャンネルまたは番組がフォーカスされている前記第１の番組表を表示するよう制御する請求項１または２のいずれかに記載の電子機器。
【請求項４】
前記第２の番組表に含まれる番組の視聴予約を設定する視聴予約設定手段を備え、
前記送信手段は、前記視聴予約設定手段にて設定された視聴予約を示す情報を前記サーバに送信し、
前記表示制御手段は、前記視聴予約設定された番組と同じ番組に対して視聴予約されたことを示すインジケータを含む前記第１の番組表を表示するよう制御する請求項１乃至請求項３のいずれか１項に記載の電子機器。
【請求項５】
前記第２の番組表に含まれる番組の録画予約を設定する録画予約設定手段を備え、
前記送信手段は、前記録画予約設定手段にて設定された録画予約を示す情報を前記サーバに送信し、
前記表示制御手段は、前記録画予約設定された番組と同じ番組に対して録画予約されたことを示すインジケータを含む第１の番組表を表示するよう制御する請求項１乃至請求項４のいずれか１項に記載の電子機器。
【請求項６】
前記第２の番組表に含まれる番組へのアクセスを制限するパレンタル設定をユーザに許可するパレンタル設定手段を備え、
前記送信手段は、前記パレンタル設定を示す情報を前記サーバに送信し、
前記表示制御手段は、前記第１の番組表に含まれる番組に対して前記パレンタル設定と同じパレンタル設定を適用するよう制御する請求項１乃至請求項５のいずれか１項に記載の電子機器。
【請求項７】
ネットワーク接続されるサーバであって、
電子機器から、前記電子機器でのスキャン処理によって得られた放送チャンネルのチャンネル情報を含む設定情報を受信する受信手段と、
前記設定情報に含まれる前記チャンネル情報と予めユーザが設定したチャンネル番号との対応関係を示す情報に基づいて前記電子機器で受信可能な放送チャネルの番組情報を特定する番組情報特定手段と、
前記番組情報特定手段にて特定された番組情報を前記電子機器に送信する送信手段とを備えるサーバ。
【請求項８】
放送チャンネルのチャンネル情報を含む放送波をスキャンするスキャン処理手段と、
前記スキャン処理によって得られた前記チャンネル情報を含む設定情報を記憶するメモリと、
前記メモリに記憶された前記設定情報を外部のサーバにネットワークを介して送信する送信手段と、
前記設定情報に含まれる前記チャンネル情報に基づいて前記サーバにて特定された番組情報を受信する受信手段と、
前記番組情報に基づいて第１の番組表を表示するよう制御する表示制御手段と、
前記放送チャンネルのチャンネル番号を任意に設定することをユーザに許可するチャンネル番号設定手段と、
前記設定情報及び前記チャンネル番号設定手段にて設定されたチャンネル番号に基づいて第２の番組表を生成する番組表生成手段とを備える電子機器の制御方法であって、
前記送信手段は、
前記チャンネル番号設定手段にて設定されたチャンネル番号を示す情報を前記サーバに送信し、
前記表示制御手段は、
前記第２の番組表の前記チャンネル番号と放送チャンネルの対応関係と同じ対応関係のチャンネル番号を含む前記第１の番組表を表示するよう制御する電子機器の制御方法。
【発明の詳細な説明】
【技術分野】
【０００１】
この発明の実施の形態は、例えばネットワークを介して外部機器と接続される電子機器
、サーバ及び電子機器の制御方法に関する。
【背景技術】
【０００２】
デジタルテレビジョン放送を受信するデジタル放送受信装置において、ネットワークを
介して外部機器（例えばウェブサーバ）にアクセスし、当該アクセスしたウェブページ（
ウェブサイト）を表示したり、サーバから配信される種々のコンテンツ（映像や音声、文
字等を含む）を表示可能な機能が搭載される傾向にある。
【０００３】
ネットワークを介したサービスはまだまだ開発途上の段階であり、ユーザの取り扱いを
より便利にするために改良されていく傾向にある。
【０００４】
特許文献１には、受信端末が、ＥＰＧデータベースから送られてきた番組リストを表示
装置に表示し、ユーザにより選択された番組を受信するように、放送受信装置を制御する
内容が開示されている。
【先行技術文献】
【特許文献】
【０００５】
【特許文献１】特開２００２−１０１４０５号公報
【発明の概要】
【発明が解決しようとする課題】
【０００６】
この発明は上記事情を考慮してなされたもので、ネットワークを介して提供される様々
なサービスに対して、ユーザの取り扱いが便利となるように対処した電子機器、サーバ及
び電子機器の制御方法を提供することを主たる目的とする。
【課題を解決するための手段】
【０００７】
実施形態の電子機器は、放送チャンネルのチャンネル情報を含む放送波をスキャンする
スキャン処理手段と、前記スキャン処理によって得られた前記チャンネル情報を含む設定情報を記憶するメモリと、前記メモリに記憶された前記設定情報を外部のサーバにネットワークを介して送信する送信手段と、前記設定情報に含まれる前記チャンネル情報に基づいて前記サーバにて特定された番組情報を受信する受信手段と、前記番組情報に基づいて第１の番組表を表示するよう制御する表示制御手段と、前記放送チャンネルのチャンネル番号を任意に設定することをユーザに許可するチャンネル番号設定手段と、前記設定情報及び前記チャンネル番号設定手段にて設定されたチャンネル番号に基づいて第２の番組表を生成する番組表生成手段とを備え、前記送信手段は、前記チャンネル番号設定手段にて設定されたチャンネル番号を示す情報を前記サーバに送信し、前記表示制御手段は、前記第２の番組表の前記チャンネル番号と放送チャンネルの対応関係と同じ対応関係のチャンネル番号を含む前記第１の番組表を表示するよう制御する。
【図面の簡単な説明】
【０００８】
【図１】実施の形態における受信装置の主要な信号処理系を示す図である。
【図２】実施の形態における受信装置で表示されるＥＰＧの例を示す図である。
【図３】実施の形態における受信装置とサーバとの通信処理を説明するための図である。
【図４】実施の形態における受信装置で表示されるＥＰＧの例を示す図である。
【発明を実施するための形態】
【０００９】
以下、この発明の実施形態について、図面を参照しながら説明する。図１は、以下の実
施形態で説明するテレビジョン放送受信装置１０（以下受信装置１０と称する）の信号処
理系の概略を示している。
【００１０】
受信装置１０のキャビネット（筺体）には、例えば液晶表示パネルやプラズマパネル等
を備えた平面パネル型ディスプレイであるディスプレイ１１４、スピーカ１１５、操作モ
ジュール１１６、リモートコントローラ１１７から送信される操作情報を受けるリモコン
受光モジュール１１８等が設置されている。
【００１１】
アンテナ２５で受信したデジタルテレビジョン放送信号（放送波）は、入力端子２６を
介してチューナ２７に供給される。所望のチャンネルの放送信号がチューナ２７により選
局される。
【００１２】
チューナ２７で選局された放送信号は、復調・復号モジュール２８に供給されてデジタ
ルの映像信号及び音声信号等に復元された後、信号処理モジュール２９に出力される。信
号処理モジュール２９は、復調・復号モジュール２８から供給されたデジタルの映像信号
及び音声信号に対してそれぞれ所定のデジタル信号処理を施している。
【００１３】
信号処理モジュール２９は、デジタルの映像信号を合成処理モジュール３０に出力し、
デジタルの音声信号を音声処理モジュール３１に出力している。合成処理モジュール３０
は、信号処理部２９から供給されるデジタルの映像信号に、ＯＳＤ（on screen display
）信号を重畳して映像処理モジュール３２に出力している。
【００１４】
映像処理モジュール３２は、入力されたデジタルの映像信号を、後段の表示装置（ディ
スプレイ１１４）で表示可能なフォーマットに変換している。映像処理モジュール３２で
は、後述する超解像処理や動画改善処理を含めて様々な画質処理が行われる。映像処理モ
ジュール３２から出力された映像信号が、ディスプレイ１１４に供給されて映像表示に供
される。
【００１５】
音声処理モジュール３１は、入力されたデジタルの音声信号を、後段のスピーカ１１５
で再生可能なフォーマットの音声信号に変換している。音声処理モジュール３１から出力
された音声信号が、スピーカ１１５に供給されることにより音声再生に供される。
【００１６】
受信装置１０は、上記した各種の受信動作や選局動作を含む全ての動作が制御モジュー
ル３５によって統括的に制御されている。制御モジュール３５は、ＣＰＵ（central proc
essing unit）３５ａを内蔵しており、受信装置１０の本体に設置された操作モジュール
１１６（例えば、本体筺体の側面等に設けられた操作スイッチ）からの操作信号を受けて
、または、リモートコントローラ１１７から送出され受光モジュール１１８で受信した操
作信号を受けて、その操作内容が反映されるように各コンポーネントをそれぞれ制御して
いる。
【００１７】
制御モジュール３５は各コンポーネントを制御する際にメモリ３５ｂを利用している。
メモリ３５ｂは、主として、ＣＰＵ３５ａが実行する制御プログラムを格納したＲＯＭ（
read only memory）と、ＣＰＵ３５ａに作業エリアを提供するためのＲＡＭ（random acc
ess memory）と、各種の設定情報及び制御情報等が格納される不揮発性メモリを含む。メ
モリ３５ｂには、後述するスキャン処理によって得られたチャンネル情報、チャンネル番
号を示す情報（ユーザが任意に設定したチャンネル番号を示す情報を含む）、チャンネル
順を示す情報（ユーザが設定したチャンネル順を示す情報を含む）、現在チューナで選局
しているチャンネルを示す情報、視聴予約情報、録画予約情報、パレンタル設定の情報、
言語設定情報、国・地域情報など種々の設定情報が記録される。
【００１８】
制御モジュール３５は、ブラウザモジュール３５ｃを含む。ブラウザモジュール３５ｃ
は、各種のソフトウェアから構成されている。ブラウザモジュール３５ｃは、ディスプレ
イ１１４上でのブラウザ画面の生成や、サーバから受信した情報（ウェブページのデータ
であり、映像、音声、文字等のデータ等を含む）をそのプログラムに基づいて変換して画
面を構築し、それをディスプレイ１１４に表示するための通信処理や再生処理等を実行す
る。つまり、制御モジュール３５は、ブラウザモジュール３５ｃの機能によって、ネット
ワークインターフェース４１（例えばＬＡＮ端子）を介して外部のネットワーク４２（イ
ンターネット）に接続されている。そして、ユーザによる操作モジュール１１６やリモー
トコントローラ１１７等の操作に基づいて、ネットワーク４２上の複数のネットワークサ
ーバに選択的にアクセスすることにより、当該サーバで提供されている各種のサービス（
ニュースの取得、音楽コンテンツの取得、映画コンテンツの取得など）を利用することが
可能に受信装置１０は構成されている。
【００１９】
制御モジュール３５は、放送チャンネルのスキャン処理モジュール３５ｄを含む。スキ
ャン処理モジュール３５ｄは、チューナ２７を制御し、受信可能な放送チャンネルの電波
があるかを検出する。放送チャンネルは通常複数あるが、受信装置１１が設置される地域
に応じて視聴できる放送チャンネル・視聴できない放送チャンネルがある。このため、受
信装置１０の初期設定として放送チャンネルのスキャン処理を行い、選局できる放送チャ
ンネルを受信装置１０に設定することが通常行なわれる。当該スキャン処理の設定が完了
することにより、受信可能な放送チャンネルがリモコンボタンに対応して自動的に割り当
てられ、ユーザは該放送チャンネルを視聴可能となる。
【００２０】
放送波には各放送チャンネルを特定するためのチャンネル情報が含まれ、スキャン処理
によって当該チャンネル情報を取得する。チャンネル情報は、受信装置１０が放送チャン
ネルを特定するための情報であり、例えばサービスＩＤ、ネットワークＩＤ、ＴＳ（Tran
sport Stream）ＩＤを含む。ネットワークＩＤは、ネットワーク名（例えば、衛星放送や
ケーブル放送の放送プロバイダ）を示すものである。ＴＳＩＤは、放送チャンネルが含ま
れるＴＳのＩＤである。サービスＩＤは、放送プロバイダによって決められたチャネルを
特定するためのＩＤである。なお、サービスＩＤは、放送サービス（例えばデジタル放送
、ワンセグ放送、ＢＳ放送、ＣＳ方法など）を識別するためのものでもよい。また、ネッ
トワークＩＤは、放送局がどのネットワークに所属しているのかを示すものであってもよ
い。ＴＳＩＤは、放送チャンネルが周波数帯域のどこに所属しているのかを示すものでも
よい。以上のように、スキャン処理によって得られたデフォルトのチャンネル情報はメモ
リ３５ｂに記憶される。
【００２１】
制御モジュール３５は、番組表モジュール３５ｅを含む。番組表モジュール３５ｅは、
アンテナ２５で受信した放送波に含まれる電子番組表（ＥＰＧ）情報や上記チャンネル情
報を基にＥＰＧを作成する。ＥＰＧを構成する情報はメモリ３５ｂに記憶される。
【００２２】
図２で示すＥＰＧ５０は、ディスプレイ１１４に表示されるＥＰＧの一例である。ＥＰ
Ｇ５０は、ユーザによる所定の操作（例えば、リモートコントローラ１１７の番組表呼び
出しボタンを押下する）に基づいて、ディスプレイ１１４に表示される。ＥＰＧ５０は、
水平方向に放送局（放送局Ａ、放送局Ｂ、放送局Ｃ、放送局Ｄ）及びそのチャンネル番号
（１ｃｈ、２ｃｈ、９ｃｈ、１０ｃｈ）に対応する複数（図２の場合は４つ）のチャンネ
ル表示枠を配列したチャンネル軸５１と、垂直方向に時系列的に連続した単位時間（図示
の場合は１時間）に対応する複数（図２の場合は５時間分）の時間枠を配列した時間軸５
２とが配列されている。そして、放送が予定されている各番組のタイトルや番組内容等の
各種情報（Ａ１〜Ａ３、Ｂ１〜Ｂ２、Ｃ１〜Ｃ３、Ｄ１〜Ｄ２）が、チャンネル軸５１と
時間軸５２とで指定された各領域（番組セル）に表示されるようになっている。ＥＰＧ５
０は、放送波以外に外部のネットワーク４２から受信した番組情報を用いて番組表を作成
することも可能であるし、ネットワーク４２から取得した番組情報と、アンテナ２５で放
送局から受信した番組情報を組み合わせて一つの番組表を構成してもよい。
【００２３】
制御モジュール３５は、放送チャンネルのチャンネル番号を任意に設定することをユー
ザに許可するチャンネル番号設定モジュール３５ｘを含む。つまり、スキャン処理により
取得したチャンネル情報にはチャンネル番号が含まれ、当該デフォルトのチャンネル番号
を用いてＥＰＧ５０を表示することが可能である。しかし、チャンネル番号の設定メニュ
ーをディスプレイ１１４に表示し、ユーザはリモートコントローラ１１７の所定キー等を
用いてデフォルトのチャンネル番号を好みのチャンネル番号に任意に設定することができ
る。例えば、図２では放送局Ａに対して１ｃｈというチャンネル番号が設定されているが
、５５ｃｈというように任意のチャンネル番号に変更することが出来る。変更された後の
チャンネル番号はチャンネル情報と対応付けられてメモリ３５ｂに記憶され、当該変更後
の対応関係に基づいてＥＰＧ５０が表示されることになる。なお、変更された後のチャン
ネル番号は放送局と対応付けられてメモリ３５ｂに記憶されてもよい。
【００２４】
制御モジュール３５は、チャンネル順（選局順）を任意に設定することをユーザに許可
するチャンネル順設定モジュール３５Ｙを含む。スキャン処理により取得したチャンネル
情報の所定ＩＤ（例えばチャンネル番号）の数の小さい順やアルファベット順などからデ
フォルトでチャンネル順（選局順）は決定され、この順に従ってＥＰＧ５０も表示される
ことになる。例えば、ＥＰＧ５０では、チャンネル番号に従って、左から１ｃｈ、２ｃｈ
、９ｃｈ、１０ｃｈの配置となっている。しかし、チャンネル順の設定メニューをディス
プレイ１１４に表示し、ユーザはリモートコントローラ１１７の所定キー等を用いてデフ
ォルトのチャンネル順を好みの順に任意に設定することができる。例えば、図２では左か
ら１ｃｈ、２ｃｈ、９ｃｈ、１０ｃｈの順であるが、２ｃｈ、１０ｃｈ、１ｃｈ、９ｃｈ
のように任意のチャンネル順に変更することが出来る。また、この順にあわせてチャンネ
ルアップ操作やチャンネルダウン操作等における選局順が変更されてもよい。変更後のチ
ャンネル順はチャンネル情報と対応付けられてメモリ３５ｂに記憶され、当該変更後のチ
ャンネル順によりＥＰＧ５０が表示される。なお、変更された後のチャンネル順はチャン
ネル番号や放送局と対応付けられてメモリ３５ｂに記憶されてもよい。
【００２５】
制御モジュール３５は、視聴予約設定モジュール３５ｆを含む。ユーザはリモートコン
トローラ１１７の上下キーや左右キー等を用いてＥＰＧ５０上でカーソル５３を操作する
ことや決定操作を行うことで、視聴予約設定モジュール３５ｆは各番組の視聴予約を設定
する。視聴予約された番組（例えば番組Ｂ１）に対しては、図２で示すように、視聴予約
設定されたことを示すインジケータ５４が表示される。視聴予約設定により受信装置１０
は、視聴予約設定された番組の放送開始時間になると、自動的に当該番組に選局を切り替
えるよう制御される。
【００２６】
制御モジュール３５は、録画制御モジュール３５ｇを含む。ユーザはリモートコントロ
ーラ１１７の上下キーや左右キー等を用いてＥＰＧ５０上でカーソル５３を操作すること
や決定操作を行うことで、録画制御モジュール３５ｇは各番組の録画予約または録画実行
を設定する。かかる設定により受信装置１０は、録画予約または録画実行が設定された番
組を記録媒体（例えば、ＨＤＤ）に録画することが出来る。録画予約された番組（例えば
番組Ａ３）に対しては、図２で示すように、録画予約設定されたことを示すインジケータ
５５が表示される。また、録画実行されている番組に対して同様のインジケータ（録画実
行中を示すインジケータ）を表示するようにしてもよい。
【００２７】
制御モジュール３５は、パレンタル設定モジュール３５ｈを含む。パレンタル設定モジ
ュール３５ｈは、受信装置１０にパレンタル制御の設定を行い、放送番組のうち所定の視
聴制限番組に対するアクセス制御を行う。パレンタル制御の設定とは、例えばユーザがレ
イティング情報（年齢基準情報）の設定及びパレンタル制限を解除するためのパスワード
設定である。ユーザが設定したレイティング情報及びパスワード情報はメモリ３５ｂに記
憶される。パレンタル制御の設定がなされた場合、パレンタル設定モジュール３５ｈによ
り、視聴のための選局や視聴予約・録画予約された番組のレイティングがチェックされる
。つまり、パレンタル制御の設定に応じてアクセスをブロックすべき番組か、ブロックし
ない番組かが判別される。そして、ユーザの設定したレイティングを超えている番組にア
クセスしようとする場合、パスワードの入力画面がディスプレイ１１４に表示され、入力
されたパスワードが予め設定されたパスワードと同じかどうかが比較される。同じパスワ
ードが入力された場合は、視聴や録画などのアクセスが許可される。当該機能により、成
人指定など視聴制限されるべき番組を視聴する場合には、適切なパスワードが入力されな
い限り当該番組へのアクセスが制限される。
【００２８】
制御モジュール３５には、ＨＤＤ（hard disk drive）４３が接続されている。ＨＤＤ
４３は受信装置１０に内蔵されていてもよいし、ＵＳＢ等のインタフェースを介して外付
けされるものでもよい。制御モジュール３５は、ユーザによる操作モジュール１１６やリ
モートコントローラ１１７等の操作に基づいて、上記復調・復号モジュール２８から得ら
れるデジタルの映像信号及び音声信号を、ＨＤＤ４３に記録させるように制御する。制御
モジュール３５はＨＤＤ４３に記録された番組を再生するよう制御することもできる。
【００２９】
次に、本実施の形態で説明する受信装置及びサーバの動作を図３のシステム図を用いて
説明する。図３は受信装置１０とサーバ６０との関係を示している。
【００３０】
サーバ６０は例えば、電子番組表を含め番組情報配信サービスを行なうサーバであり、
当該サービスを行なうための各種データが記憶されている。例えば、サーバ６０は、上述
したようなＥＰＧ５０を構成する番組情報（放送局、チャンネル番号、番組の放送時間、
番組内容を示す情報）と同様の情報を含んでいてよく、更にＲＰＧ５０とは異なる番組情
報（例えば、番組出演者の詳細情報、当該番組に関連する広告情報・ビデオクリップ情報
、当該番組に関するニュース情報など）をデータベース（ＤＢ）６１に記憶していること
が好ましい。サーバ６０は、例えばＶＯＤ（video on demand）による映画やドラマ等の
動画配信サービスを行っていてもよい。
【００３１】
サーバ６０は、受信装置１０から送信された受信装置１０の設定情報を受信し、当該設
定情報に基づいて受信装置１０に送信する情報（例えば番組情報）をＤＢ６１から特定す
るよう制御する特定モジュール６２を含む。特定モジュール６２によりサーバ６０は、受
信装置１０と通信処理を行う際（例えば、受信装置１０がサーバ６０へのアクセスを開始
する際）に各種の設定情報を検出し、当該設定情報に応じてユーザにとって好ましいサー
ビスを受信装置１０に提供するよう構成される。当該設定情報には、受信装置１０の機器
情報、スキャン処理によって得られたチャンネル情報、チャンネル番号を示す情報（ユー
ザが任意に設定したチャンネル番号を示す情報を含む）、チャンネル順を示す情報（ユー
ザが設定したチャンネル順を示す情報を含む）、現在チューナで選局しているチャンネル
を示す情報、視聴予約情報、録画予約情報、パレンタル設定の情報、言語設定情報、国・
地域情報などを含む。
【００３２】
受信装置１０が、ネットワーク（インターネット）を介してサーバ６０からコンテンツ
を受信する場合のコンテンツ表示処理について説明する。ユーザは、リモートコントロー
ラ１１７を所定操作（例えば専用ボタンを押下げする操作）し、受信装置１０に対して番
組情報配信サービス（つまり、サーバ６０の配信サービス）の受信を要求する。ブラウザ
モジュール１６は、受光モジュール１１８を介してユーザの要求を受け付けると、ネット
ワークインターフェース４１、ネットワーク４２（インターネット）を介してサーバ６０
にコマンド（サーバ６０のサービスを受ける旨の要求）を通知する。
【００３３】
この通信処理の際、ブラウザモジュール３５ｃは、メモリ３５ｂに記憶された受信装置
１０の設定情報をサーバ６０に送信するよう制御する。送信される設定情報は、例えば受
信装置１０でのスキャン処理によって得られた放送チャンネルのチャンネル情報を含む。
上述したように、当該チャンネル情報は放送チャンネルを特定するための情報であり、例
えばサービスＩＤ、ネットワークＩＤ、ＴＳ（Transport Stream）ＩＤを含む。
【００３４】
サーバ６０では、受信した設定情報に含まれるチャンネル情報に基づいて受信装置１０
に送信するデータの特定処理を行う。すなわち、サーバ６０では特定モジュール６２の制
御により、チャンネル情報に基づいて受信装置１０で受信（選局）可能な放送チャンネル
の番組情報をデータベース６１の中から特定する。換言すると、サーバ６０では、データ
ベース６１に記録された大量のデータの中から、受信装置１０で実際に視聴できる放送チ
ャンネルに関する番組情報が選択的に特定される。
【００３５】
ブラウザモジュール３５ｃは、サーバ６０と通信処理を行い、サーバ６０から送信され
たデータを受信する。サーバ６０から送信されるデータ（番組情報）は、上記のとおり、
受信装置の設定情報に基づいて特定されたものである。当該データは、例えばＨＴＭＬ（
hypertext markup language）により記述された情報であり、静止画像などの画像情報や
、スクリプト（script）と呼ばれる各種の処理を実行するためのプログラム（ソフトウェ
ア）を含む。
【００３６】
ブラウザモジュール３５ｃは、サーバ６０から受信したデータに基づいて電子番組表を
生成し、ディスプレイ１１４には例えば図４に示すようにＥＰＧ７０が表示される。ＥＰ
Ｇ７０は例えば図４に示すように、垂直方向に放送局（放送局Ａ、放送局Ｂ、放送局Ｃ、
放送局Ｄ）及びそのチャンネル番号（１ｃｈ、２ｃｈ、９ｃｈ、１０ｃｈ）に対応する複
数（図４の場合は４つ）のチャンネル表示枠を配列したチャンネル軸７１と、水平方向に
時系列的に連続した時間に対応する時間軸７２とが配列されている。放送が予定されてい
る各番組のタイトルや番組内容等の各種情報（Ａ１〜Ａ３、Ｂ１〜Ｂ２、Ｃ１〜Ｃ３、Ｄ
１〜Ｄ２）が、チャンネル軸７１と時間軸７２とで指定された各領域（番組セル）に表示
されるようになっている。ユーザは上記したＥＰＧ５０とほぼ同様の操作（カーソル選択
、視聴予約設定、録画予約設定、録画実行）をＥＰＧ７０上で行なうことが可能であり、
それ以外の操作（番組検索など）を行なうように構成されていてもよい。
【００３７】
以上のように本実施形態では、受信装置１０のスキャン処理によって得られた放送チャ
ンネルのチャンネル情報をサーバ６０に送信することにより、ユーザが受信装置１０で視
聴可能な放送チャンネルの番組情報に絞り込まれたＥＰＧを提供することができる。
【００３８】
例えば、サーバ６０がある国における広範囲の番組情報をデータベース６１に記録して
いたとしても、受信装置１０の設置された地域では実際に視聴（選局）できない（放送チ
ャンネルや番組が含まれている場合がある。この場合、仮にサーバ６０から多数の放送チ
ャンネルの番組情報を受信して受信装置１０にＥＰＧとして表示したとしても、そのうち
実際に選局できない放送チャンネルが含まれていた場合、ユーザは当該放送チャンネルに
関する番組を視聴できず、ユーザにとっては不要な情報となり得る。
【００３９】
しかしながら本実施形態では、受信装置１０のスキャン処理によって得られた放送チャ
ンネルのチャンネル情報をサーバ６０に送信している。これにより、実際に視聴可能な放
送チャンネルの番組情報に絞り込まれたサービス（ＥＰＧ７０）をユーザは確認すること
ができ、ユーザにとってサーバ６０のサービスに係る利便性を向上させることができる。
【００４０】
また、チャンネル情報を含めた設定情報はサーバ６０との通信処理の際に、自動的に受
信装置１０からサーバ６０へと送信されることが好ましい。これにより、ユーザはサーバ
６０に視聴可能なチャンネルの指定を特別に行なう必要がない。以下に説明する設定情報
も同様に、自動的にサーバ６０にて受信されて利用される。
【００４１】
また、受信装置１０からサーバ６０に送信する設定情報には、ユーザが任意に設定した
チャンネル番号を示す情報を含めても良い。上述のとおり、ユーザはリモートコントロー
ラ１１７の所定キー等を用いてデフォルトのチャンネル番号を好みのチャンネル番号に任
意に設定することができる。そして、メモリ３５ｂに記憶された変更された後のチャンネ
ル番号とチャンネル情報との対応関係を示す情報をサーバ６０に送信する。
【００４２】
また、サーバ６０では、ユーザが設定したチャンネル番号とチャンネル情報との対応関
係を示す情報についても利用して、受信装置１０で受信（選局）可能な放送チャンネルの
番組情報をデータベース６３の中から特定するように構成されていてもよい。これにより
、サーバ６０から送信されるデータ（番組情報）には、ユーザが設定したチャンネル番号
と放送局との対応関係を示す情報が反映される。
【００４３】
かかる構成によれば、ユーザが設定したチャンネル番号と放送局との関係が反映された
サービス（ＥＰＧ７０）を提供することが出来る。従って、ＥＰＧ７０を確認する際にＥ
ＰＧ５０との間でチャンネル番号と放送局との対応関係において相違点が少なく、ユーザ
は双方のＥＰＧの内容を適切に確認することができる。
【００４４】
また、受信装置１０からサーバ６０に送信する設定情報には、ユーザが任意に設定した
チャンネル順を示す情報を含めても良い。上述のとおり、ユーザはリモートコントローラ
１１７の所定キー等を用いてデフォルトのチャンネル順に任意に設定することができる。
そして、メモリ３５ｂに記憶された変更された後のチャンネル順と、チャネル番号やチャ
ネル情報との対応関係を示す情報をサーバ６０に送信する。
【００４５】
サーバ６０では、ユーザが設定したチャンネル順と、チャネル番号やチャネル情報との
対応関係を示す情報についても利用して、受信装置１０で受信（選局）可能な放送チャン
ネルの番組情報をデータベース６３の中から特定する。これにより、サーバ６０から送信
されるデータ（番組情報）には、ユーザが設定したチャンネル順と放送局やチャンネル番
号との対応関係を示す情報が反映される。
【００４６】
かかる構成によれば、ユーザが設定したチャンネル番号と放送局との関係が反映された
サービス（ＥＰＧ７０）を提供することが出来る。従って、ＥＰＧ７０を確認する際にＥ
ＰＧ５０との間でチャンネル順の相違がなく、ユーザは両者のＥＰＧの内容を適切に確認
することができる。
【００４７】
また、受信装置１０からサーバ６０に送信する設定情報には、ユーザが任意に設定した
視聴予約設定情報を含めても良い。上述のとおり、ユーザはＥＰＧ５０上でカーソル５３
を操作することや決定操作を行うことで、各番組の視聴予約が設定される。そして、メモ
リ３５ｂに記憶された視聴予約設定情報を示す情報をサーバ６０に送信する。
【００４８】
サーバ６０では、ユーザが設定した視聴予約設定情報についても利用して、受信装置１
０で受信（選局）可能な放送チャンネルの番組情報をデータベース６３の中から特定する
。これにより、サーバ６０から送信されるデータ（番組情報）には、視聴予約設定情報が
反映される。
【００４９】
かかる構成によれば、ユーザがＥＰＧ５０を用いて設定した視聴予約設定情報が反映さ
れたサービス（ＥＰＧ７０）を提供することが出来る。例えば、図４に示すインジケータ
７３のように、ＥＰＧ７０についてもＥＰＧ５０と同様Ｂ１が視聴予約設定されているこ
とを示してもよい。従って、ＥＰＧ７０はＥＰＧ５０と同様に視聴予約の設定がされてい
るため、両者のＥＰＧで視聴予約が設定されていることを確認できる。
【００５０】
また、受信装置１０からサーバ６０に送信する設定情報には、ユーザが任意に設定した
録画予約または録画実行が設定されている情報を含めても良い。上述のとおり、ユーザは
ＥＰＧ５０上でカーソル５３を操作することや決定操作を行うことで、各番組の録画予約
または録画実行が設定される。そして、受信装置１０は、メモリ３５ｂに記憶された録画
予約情報または録画実行を示す情報をサーバ６０に送信する。なお、録画実行は、ＥＰＧ
５０を用いて行なうことに限らず、番組視聴中に実行することも可能である。
【００５１】
サーバ６０では、ユーザが設定した録画予約または録画実行が設定されている情報につ
いても利用して、受信装置１０で受信（選局）可能な放送チャンネルの番組情報をデータ
ベース６３の中から特定する。これにより、サーバ６０から送信されるデータ（番組情報
）には、録画予約情報及びまたは録画実行の情報が反映される。
【００５２】
かかる構成によれば、ユーザが設定した録画情報が反映されたサービス（ＥＰＧ７０）
を提供することが出来る。例えば、図４に示すインジケータ７４のように、ＥＰＧ７０に
ついてもＡ３が録画予約設定されていることを示してもよい。従って、ＥＰＧ７０はＥＰ
Ｇ５０と同様に録画予約の設定や録画実行されているため、ユーザは両者ＥＰＧで録画予
約や録画実行されていることを確認することができる。
【００５３】
また、受信装置１０からサーバ６０に送信する設定情報には、ユーザが設定したパレン
タル情報を含めても良い。上述のとおり、ユーザは例えばレイティング情報の設定やパレ
ンタル制限を解除するためのパスワード設定などを行うことにより、パレンタル制御を実
行することができる。そして、受信装置１０は、メモリ３５ｂに記憶されたパレンタル情
報をサーバ６０に送信する。
【００５４】
サーバ６０では、ユーザが設定したパレンタル情報についても利用して、受信装置１０
で受信（選局）可能な放送チャンネルの番組情報をデータベース６３の中から特定する。
これにより、サーバ６０から送信されるデータ（番組情報）には、パレンタル情報が反映
される。
【００５５】
かかる構成によれば、サーバ６０は、ユーザ設定したパレンタル情報が反映されたサー
ビス（ＥＰＧ７０）を提供することが出来る。従って、ＥＰＧ７０を用いて番組視聴や視
聴予約や録画予約、あるいは番組購入等の操作を行なう場合に、サーバ６０のサービスを
実行する上でユーザにとって適切なパレンタル制御を行うことができる。
【００５６】
また、受信装置１０からサーバ６０に送信する設定情報には、ユーザが現在チューナ２
７で選局しているチャンネル情報を含めても良い。上述のとおり、ユーザは操作モジュー
ル１１６やリモートコントローラ１１７等を用いて視聴するチャンネルを選局することが
できる。そして、受信装置１０は、現在選局しているチャンネル情報をサーバ６０に送信
する。
【００５７】
サーバ６０では、ユーザが現在視聴しているチャンネル情報についても利用して、受信
装置１０で受信（選局）可能な放送チャンネルの番組情報をデータベース６３の中から特
定する。これにより、サーバ６０から送信されるデータ（番組情報）には、現在選局して
いるチャンネル情報が反映される。
【００５８】
かかる構成によれば、サーバ６０は、ユーザが現在選局しているチャンネル情報が反映
されたサービス（ＥＰＧ７０）を提供することが出来る。例えば、図４に示すカーソル７
５のように、現在選局しているチャンネルや番組がＥＰＧ７０にて分かるようにフォーカ
スされていることが好ましい。従って、ユーザは両者ＥＰＧで現在選局中の放送チャンネ
ル及び番組を確認することができるとともに、ＥＰＧ７０に含まれる番組の中から現在視
聴しているチャンネルの情報を迅速に判別することが出来る。
【００５９】
以上のように本実施形態では、受信装置１０の種々の設定情報をサーバ６０に送信する
ことにより、当該設定情報に応じてユーザにとって適切なサービス（上記実施形態ではＥ
ＰＧ７０）が受信装置１０にて提供されるよう構成される。
【００６０】
この発明は上記した実施の形態や図面そのままに限定されるものではなく、実施段階で
はその要旨を逸脱しない範囲で構成要素を種々変形して具体化することができる。例えば
、上記ではサーバ６０が提供するサービスとして電子番組表（ＥＰＧ７０）を例に説明し
たが、例えばＶＯＤ（video on demand）による映画やドラマ等の動画配信サービスを行
っていてもよいし、受信装置の設定情報を利用可能なサービスに広く適用することができ
る。
【００６１】
また、サーバ６０での情報の特定処理は、受信装置１０とサーバ６０間での通信処理に
より自動的に行われることが好ましいが、ユーザ操作に応じて行われてもよい。例えば、
受信装置１０の設定情報をサーバ１０側に送るか否かの選択メニューや、当該特定処理を
行うか否かの選択メニューを受信装置１０のディスプレイ１１４上で表示し、当該選択メ
ニューでのユーザ操作に応じてサーバ６０に所定のコマンドが送信される。そして、当該
コマンドをサーバ６０が受信することにより、特定処理が行われてもよい。つまり、受信
装置１０の設定情報をサーバ１０に送信することや、当該特定処理が行われることを望ま
ないユーザがいる可能性があるため、これら選択メニューを表示するように構成してもよ
い。
【００６２】
また、上記した実施の形態に開示されている複数の構成要素を適宜に組み合わせること
により、種々の発明を形成することができる。例えば、実施の形態に示される全構成要素
から幾つかの構成要素を削除しても良いものである。さらに、異なる実施の形態に係る構
成要素を適宜組み合わせても良いものである。
【符号の説明】
【００６３】
１０…受信装置、２５…アンテナ、２６…入力端子、２７…チューナ、２８…復調・復
号モジュール、２９…信号処理モジュール、３０…合成処理モジュール、３１…音声処理
モジュール、３２…映像処理モジュール、３５…制御モジュール、３５ａ…ＣＰＵ、３５
ｂ…メモリ、３５ｃ…ブラウザモジュール、３５ｄ…スキャン処理モジュール、３５ｅ…
番組表モジュール、３５ｆ…視聴予約設定モジュール、３５ｇ…録画制御モジュール、３
５ｈ…パレンタル設定モジュール、３５ｘ…チャンネル番号設定モジュール、３５ｙ…チ
ャンネル順設定モジュール、４１…ネットワークインターフェース、４２…ネットワーク
、４３…ＨＤＤ、５０…ＥＰＧ、５１…チャンネル軸、５２…時間軸、５３…カーソル、
５４…インジケータ、５５…インジケータ、６０…サーバ、６１…データベース、６２…
特定モジュール、７０…ＥＰＧ，７１…チャンネル軸、７２…時間軸、７３…インジケー
タ、７４…インジケータ、７５…カーソル１１４…ディスプレイ、１１５…スピーカ
【図１】
0005355729.tif 000002
【図２】
0005355729.tif 000003
【図３】
0005355729.tif 000004
【図４】
0005355729.tif 000005